(57)【要約】【課題】  撮影時にユーザーが撮影装置から離れた場所にいるような場合であっても、撮影装置のスピーカーから出力される様々な報知音がユーザーまで聞こえるようにすることができる撮影装置を提供する。【解決手段】  撮影するための操作が行なわれてから所定時間後に撮影動作を行なうセルフタイマー機能、及び／又は遠隔操作により撮影動作を行なう遠隔操作機能を備え、報知音を出力する報知音鳴動手段１０と、セルフタイマー機能が操作により起動してから撮影動作が行なわれるまでの間、又は遠隔操作機能が操作により起動してから終了するまでの間の撮影待機状態のときに報知音が出力される場合には、撮影待機状態にないときよりも、報知音の大きさを大きくするよう報知音鳴動手段を制御する制御手段１２とを有するようにした。【選択図】      図１
2006091665.tif 000002
【特許請求の範囲】
【請求項１】
撮影するための操作が行なわれてから所定時間後に撮影動作を行なうセルフタイマー機能、及び／又は遠隔操作により撮影動作を行なう遠隔操作機能を備え、
報知音を出力する報知音鳴動手段と、
前記セルフタイマー機能が操作により起動してから撮影動作が行なわれるまでの間、又は前記遠隔操作機能が操作により起動してから終了するまでの間の撮影待機状態のときに前記報知音が出力される場合には、撮影待機状態にないときよりも、報知音の大きさを大きくするよう前記報知音鳴動手段を制御する制御手段と
を有することを特徴とする撮影装置。
【請求項２】
通信手段を有し、
前記報知音鳴動手段は、前記通信手段による着信が生じたときに前記報知音として所定の着信音を出力するようにしたことを特徴とする請求項１に記載の撮影装置。
【請求項３】
前記報知音鳴動手段は、少なくとも撮影動作時の撮影実行通知音又はアラーム音を前記報知音として出力する請求項１又は２に記載の撮影装置。
【請求項４】
撮影時の焦点を合わせる合焦機能を備え、
前記制御手段は、前記撮影待機状態にて前記報知音が出力される場合に、前記合焦機能により求まる被写体までの距離に対応して前記報知音の大きさを調整することを特徴とする請求項１ないし３のいずれか一に記載の撮影装置。
【請求項５】
撮影するための操作が行なわれてから所定時間後に撮影動作を行なうセルフタイマー機能、及び／又は遠隔操作により撮影動作を行なう遠隔操作機能を備え、
報知音を出力する報知音鳴動手段と、
前記報知音鳴動手段を制御する制御手段と
を有する撮影装置の報知音出力方法であって、
前記セルフタイマー機能が操作により起動してから撮影動作が行なわれるまでの間、又は前記遠隔操作機能が操作により起動してから終了するまでの間の撮影待機状態のときに前記報知音が出力される場合には、撮影待機状態にないときよりも、報知音の大きさを大きくすることを特徴とする撮影装置の報知音出力方法。
【発明の詳細な説明】
【技術分野】
【０００１】
本発明は、所定の処理動作に対応する報知音を出力するようになっている撮影装置及びその報知音出力方法に関するものである。
【背景技術】
【０００２】
従来において、被写体の光学像を銀塩フィルム等に感光させるようになっている撮影装置があった。このような撮影装置は、機械的に動作するシャッターを有するため、撮影動作時には必ず機械的なシャッター音を生じるようになっていた。
【０００３】
このような撮影装置に対して、ＣＣＤ（Ｃｈａｒｇｅ  Ｃｏｕｐｌｅｄ  Ｄｅｖｉｃｅ）等の撮像素子を有して、この撮像素子が被写体の光学像を電気的な画像信号に変換するようになっている撮影装置があるが、このような撮影装置は、機械的なシャッターを有していないため、撮影動作時に機械的なシャッター音を生じない。このため、撮影動作を行なったことをユーザー等に報知するために、擬似的なシャッター音等を、報知音としてスピーカー等から出力するようになっている撮影装置があった（例えば、特許文献１参照）。
【０００４】
また、上記のような被写体の光学像を銀塩フィルム等に感光させる構成の撮影装置、及び被写体の光学像を電気的な画像信号に変換するようになっている撮影装置のいずれにおいても、撮像機能に関連する機能として、例えば、撮影するための操作が行なわれてから所定時間後に撮影動作を行なうようなセルフタイマー機能を備えるものがあった。
【０００５】
また、このようなセルフタイマー機能とは異なる別の撮像機能に関連する機能として、撮影装置とは別個のリモコン（ｒｅｍｏｔｅ  ｃｏｎｔｒｏｌ）装置等が用いられて、このようなリモコン装置等により、撮影装置から離れた位置で所定の遠隔操作が行なわれたときに、撮影動作等を行なうような遠隔操作機能を備えるものがあった。
【０００６】
また、上記のセルフタイマー機能や遠隔操作機能のような撮像機能に関連する機能以外にも、撮影装置が、携帯端末装置やパーソナルコンピュータのような撮影装置以外の他の装置と一体化することにより、撮影とは直接関係がない機能を備えるものがあった。
【０００７】
このような撮像機能以外の機能を備えるような撮影装置は、撮像機能が起動しているのかどうかが分からない場合がある。このため、撮像機能が起動していることをユーザー等に報知するために、その旨を伝える音声等を報知音としてスピーカーから出力するようになっている撮影装置があった（例えば、特許文献２）。
【０００８】
また、上記のような撮像機能が起動していることを報知する報知音だけでなく、撮像機能以外の他の機能の処理動作に対応する報知音をスピーカーから出力するようになっている撮影装置があった。このような撮影装置としては、例えば、通信機能を備えていることにより、通話の着信等があったときに、この着信を報知する報知音を出力するような携帯電話機等があった。
【特許文献１】特開２００３−３３８９５６号公報
【特許文献２】特開２００４−３２４４２号公報
【発明の開示】
【発明が解決しようとする課題】
【０００９】
しかしながら、このような撮影装置は、例えば、ユーザー自身が被写体となるために、セルフタイマー機能や遠隔操作機能を用いて撮影を行なうような場合には、ユーザーが撮影装置から離れた場所にいることとなるため、この撮影装置のスピーカーから出力される様々な報知音が、ユーザーまで届かなくなってしまうという問題があった。
【００１０】
そこで本発明は、上記問題点に鑑みて、撮影時にユーザーが撮影装置から離れた場所にいるような場合であっても、撮影装置のスピーカーから出力される様々な報知音がユーザーまで聞こえるようにすることができる撮影装置及びその報知音出力方法を提供することを課題とするものである。
【課題を解決するための手段】
【００１１】
上記課題を解決するために本発明は、
撮影するための操作が行なわれてから所定時間後に撮影動作を行なうセルフタイマー機能、及び／又は遠隔操作により撮影動作を行なう遠隔操作機能を備え、
報知音を出力する報知音鳴動手段と、
前記セルフタイマー機能が操作により起動してから撮影動作が行なわれるまでの間、又は前記遠隔操作機能が操作により起動してから終了するまでの間の撮影待機状態のときに前記報知音が出力される場合には、撮影待機状態にないときよりも、報知音の大きさを大きくするよう前記報知音鳴動手段を制御する制御手段とを有することを特徴とするものである。
【００１２】
また、本発明による撮影装置は、
通信手段を有し、
前記報知音鳴動手段は、前記通信手段による着信が生じたときに前記報知音として所定の着信音を出力するようになっていてもよい。
【００１３】
また、本発明による撮影装置は、
前記報知音鳴動手段は、少なくとも撮影動作時の撮影実行通知音又はアラーム音を前記報知音として出力するようになっていてもよい。
【００１４】
また、本発明による撮影装置は、
撮影時の焦点を合わせる合焦機能を備え、
前記制御手段は、前記撮影待機状態にて前記報知音が出力される場合に、前記合焦機能により求まる被写体までの距離に対応して前記報知音の大きさを調整するようになっていてもよい。
【００１５】
また、上記課題を解決するために本発明は、
撮影するための操作が行なわれてから所定時間後に撮影動作を行なうセルフタイマー機能、及び／又は遠隔操作により撮影動作を行なう遠隔操作機能を備え、
報知音を出力する報知音鳴動手段と、
前記報知音鳴動手段を制御する制御手段と
を有する撮影装置の報知音出力方法であって、
前記セルフタイマー機能が操作により起動してから撮影動作が行なわれるまでの間、又は前記遠隔操作機能が操作により起動してから終了するまでの間の撮影待機状態のときに前記報知音が出力される場合には、撮影待機状態にないときよりも、報知音の大きさを大きくすることを特徴とするものである。
【発明の効果】
【００１６】
このような本発明の撮影装置及びその報知音出力方法によれば、撮影時にユーザーが撮影装置から離れた場所にいるような場合であっても、撮影装置のスピーカーから出力される様々な報知音がユーザーまで聞こえるようにすることができる。
【発明を実施するための最良の形態】
【００１７】
以下、本発明に係る、撮影装置及びその報知音出力方法の実施の形態について、図面に基づいて具体的に説明する。
図１ないし図４は、本発明の一実施の形態に係る、撮影装置２及びその報知音出力方法について説明するために参照する図である。
【００１８】
図１に示すように、本発明の一実施の形態に係る撮影装置２は、撮像手段４、操作手段６、遠隔操作受信手段７、通信手段８、報知音鳴動手段１０、及びこれらを制御する制御手段１２を備えて構成されている。また、撮影装置２は、後述するように、その撮像機能により撮影を行なう際に、セルフタイマー機能、遠隔操作機能、及び自動焦点機能を利用することができるようになっている。
【００１９】
撮像手段４は、レンズ４ａ、及びＣＣＤ等の撮像素子である受光部４ｂを備えており、レンズ４ａは、制御手段１２からの命令に基づいて、図２に示すように、不図示の駆動部により撮像軸Ｃ上を移動して焦点を合わせるようになっている。
【００２０】
このようなレンズ４ａが移動することができる長さ範囲は、例えば５つの区間「１」〜「５」に分けられており、それぞれの区間には、被写体までの距離が最も近い場合（又は遠い場合）に焦点の調整をしたときにおけるレンズ４ａの位置を含む区間「１」から、被写体までの距離が最も遠い場合（又は近い場合）のレンズ４ａの位置を含む区間「５」に向かって、順番に区間番号が割り振られている。
【００２１】
また、図１に示す操作手段６は、シャッターキー６ａ及びテンキー６ｂ等を備えている。報知音鳴動手段１０は、アンプ１０ａ及びスピーカー１０ｂを備えている。制御手段１２は、距離演算部１２ａ、ＣＰＵ１２ｂ（Ｃｅｎｔｒａｌ  Ｐｒｏｃｅｓｓｉｎｇ  Ｕｎｉｔ）、及びメモリ１２ｃを備えている。
【００２２】
また、遠隔操作受信手段７は、後述する遠隔操作機能を利用して撮影を行なうときなどに、不図示のリモコン装置から、撮影を指示する旨の信号等を受信して、これをＣＰＵ１２に出力するようになっている。
【００２３】
このような撮影装置２は、その撮像機能により、撮像手段４を用いて撮影が行なわれる場合には、制御手段１２のＣＰＵ１２ｂが、撮影実行通知音として、擬似的なシャッター音を報知音鳴動手段１０のスピーカー１０ｂから出力させるようになっている。
【００２４】
また、撮影装置２は、撮影動作の直前において、被写体等に撮影動作をこれから行なう旨を知らしめるために、「ハイ、チーズ」などの掛け声の合成音声等を、擬似的なシャッター音と同様の撮影実行通知音として出力するようになっている。
【００２５】
また、撮影装置２は、撮像機能の他にも、後述するような電話機能、電子メール送受信機能、アラーム機能、及び電池切れ警告機能等を備えており、制御手段１２のＣＰＵ１２ｂは、このような撮影装置２の様々な機能の処理動作に対応して、報知音鳴動手段１０のスピーカー１０ｂから所定のアラーム音、着信音及び合成音声等を出力させるようになっている。
【００２６】
このような所定のアラーム音、着信音及び合成音声等は、所定の処理動作等をユーザーに報知するためのものであるため、これらを報知音ということとする。撮影時の擬似的なシャッター音や、「ハイ、チーズ」などの掛け声の合成音声等の撮影実行通知音も報知音に含まれる。このような様々な種類の報知音のデータは、予めメモリ１２ｃに記憶されている。
【００２７】
また、撮影装置２は、撮像機能により撮影を行なう際には、撮影するための操作が行なわれてから所定時間後に撮影動作を行なうセルフタイマー機能、及びリモコン装置を用いて遠隔操作をすることができる遠隔操作機能、並びに撮影時の焦点を自動的に合わせる自動焦点機能を利用することができるようになっている。
【００２８】
撮影装置２が撮影動作を行なう際にセルフタイマー機能を利用する場合には、シャッターキー６ａを押下してから実際に撮像手段４による撮影動作が行なわれるまでの時間を、操作手段６のテンキー６ｂ等の操作により設定することができるようになっている。
【００２９】
セルフタイマー機能を起動させた後において、シャッターキー６ａを押下してから実際に撮像手段４による撮影動作が行なわれるまでの撮影待機状態の間のカウントダウン（計時処理）は、制御手段１２のＣＰＵ１２ｂが制御するタイマー（図示せず）が行なうようになっている。
【００３０】
さらに撮影装置２は、撮影動作を行なう際に遠隔操作機能を利用すると、不図示のリモコン装置から送信される撮影動作の命令に基づいて、撮像手段４に撮影動作を行なわせることができるようになっている。遠隔操作機能は、操作手段６により起動させることができ、遠隔操作機能の起動後において、撮像手段４は、不図示のリモコン装置からの撮影動作の命令を遠隔操作受信手段７が受信したときに、直ちに撮影動作を行なえるような撮影待機状態になる。
【００３１】
また、セルフタイマー機能でシャッターキー６ａを押下してから実際に撮像手段４による撮影動作が行なわれるまでの撮影待機状態の間、又は遠隔操作機能を起動させてからこの遠隔操作機能を終了させるまでの間の撮影待機状態のときに、報知音鳴動手段１０から擬似的なシャッター音やその他の何等かの報知音が出力される場合には、制御手段１２のＣＰＵ１２ｂは、報知音鳴動手段１０のアンプ１０ａのゲインの値が所定の倍率となるように変更するよう制御して、報知音の音量を通常のそれより大きくするようになっている。
【００３２】
また、撮影時における自動焦点機能の処理動作は、制御手段１２が、焦点が合うように、撮像手段４のレンズ４ａの位置を調整させることにより行なわれる。すなわち、距離演算部１２ａは、図２に示すように、レンズ４ａを通過して受光部４ｂに結像した光学像のコントラストを、電気的な画像信号の波形により解析するようになっており、レンズ４ａを撮像方向に移動させながら、コントラストの電気信号の値を計測し、その出力値とレンズ４ａの位置を監視する。その結果、生成される画像信号の波形の振幅が最も大きくなるときのレンズ４ａの位置を探し出すようになっている。
【００３３】
画像信号の波形の振幅は、焦点が合った状態（コントラストがはっきりした状態）のときに最も大きくなるため、レンズ４ａをこのような位置で停止させることにより、焦点を合わせることができる。また、距離演算部１２ａは、このような画像信号の波形についての解析の過程又は結果に基づいて、被写体までの距離、及びレンズ４ａが停止した位置の区間番号を算出するようになっている。レンズ４ａが停止した位置は、被写体までの距離に対応しているため、レンズ４ａが停止した位置の区間番号は、結局被写体までの距離が短い方から長くなる方向（又は逆の方向）に移動するに従って増えるように、対応していることになる。
【００３４】
また、図１に示すメモリ１２ｃには、図３に示すように、区間番号のそれぞれに対応する音量が、音量テーブル２０として予め記憶されている。この音量テーブル２０に定められている音量は、撮影装置２から被写体までの距離が最も遠いときにレンズ４ａが停止する位置の区間番号「５」に近いものほど、大きくなっている。すなわち、区間番号が大きい数であるほど、音量が大きくなるようになっている。
【００３５】
図１に示すＣＰＵ１２ｂは、距離演算部１２ａが算出したレンズ４ａの停止位置の区間番号から、図３に示すメモリ１２ｃの音量テーブルに照らして音量を判断し、この音量をメモリ１２ｃに記憶するようになっている。また、このようなメモリ１２ｃに記憶された音量に基づいて、ＣＰＵ１２ｂは報知音鳴動手段１０のアンプ１０ａのゲインの値を変更するようになっている。
【００３６】
また、撮影装置２は、電話機能及び電子メール送受信機能を備えており、図１に示す制御手段１２のＣＰＵ１２ｂは、通信手段８が通話を着信した場合や電子メールを受信した場合に、報知音鳴動手段１０のスピーカー１０ｂから所定の着信音を出力させるようになっている。
【００３７】
また、撮影装置２はアラーム機能を備えており、操作手段６のテンキー６ｂ等により任意の時刻を指定することができるようになっていると共に、このように指定した時刻になったときに、ＣＰＵ１２ｂがスピーカー１０ｂから所定のアラーム音を出力させるようになっている。
【００３８】
また、撮影装置２は電池切れ警告機能を備えており、不図示の電池の残量が所定の量よりも少なくなった場合に、ＣＰＵ１２ｂがスピーカー１０ｂから所定のアラーム音を出力させるようになっている。
【００３９】
次に、図４に示すフローチャートに基づいて、セルフタイマー機能及び自動焦点機能を利用して撮影するときを例にして、撮影装置２の撮影待機状態における処理動作について説明する。
【００４０】
セルフタイマー機能、及び自動焦点機能を起動する操作が行なわれた後に、シャッターキー６ａが押下されると、撮影待機状態となり、タイムアップを待受ける（図４中、ステップＳ１）。次に、撮影装置２は、自動焦点機能により焦点を合わせる処理動作を行なうと共に、距離演算部１２ａが、被写体までの距離、及び図２に示すレンズ４ａが停止した位置の区間番号を算出するようになっている（図４中、ステップＳ２）。
【００４１】
このステップＳ１とステップＳ２の順番は前後してもよい。例えば、焦点を合わせた後に、セルフタイマーをスタートさせるようにしてもよい。この場合、焦点を合わせたときのレンズ４ａの位置を記憶しておき、セルフタイマーがスタートされてから、ステップＳ３に移行すればよい。
【００４２】
そして、ＣＰＵ１２ｂは、距離演算部１２ａが算出した区間番号から、図３に示す音量テーブルに照らし合わせて音量を判断し（ステップＳ３）、この音量をメモリ１２ｃに記憶するようになっている。
【００４３】
ＣＰＵ１２ｂは、ステップＳ３までの処理動作が終了すると、セルフタイマー機能によるカウントダウンを開始する（ステップＳ４）。カウントダウンを開始した後において、撮像機能以外の他の機能に基づく処理動作が生じないような場合には（ステップＳ５のＹＥＳ）、カウントダウンの終了と同時に、撮像手段４に撮影動作を行なわせるようになっている（ステップＳ６）
【００４４】
ステップＳ６で撮影動作が行なわれる際には、報知音鳴動手段１０のスピーカー１０ｂから擬似的なシャッター音などの撮影実行通知音が出力されるが、セルフタイマー機能の起動後であってシャッターキー６ａが押下された後においては、ＣＰＵ１２ｂは、報知音鳴動手段１０のアンプ１０ａのゲインの値が所定の倍率となるように変更して、報知音の音量を大きくするようになっている。したがって、スピーカー１０ｂから出力される撮影実行通知音は、ステップＳ３でメモリ１２ｃに記憶された音量に所定の倍率を掛合わせた音量で出力されるようになっている。
【００４５】
また、ステップＳ４でセルフタイマー機能によるカウントダウンを開始した後であって、カウントダウンが終了するまでの間に、撮像機能以外の他の機能に基づく処理動作が生じた場合には（ステップＳ５のＮＯ）、ＣＰＵ１２ｂは、電話機能、電子メール送受信機能、アラーム機能、及び電池切れ警告機能等のいずれの機能に基づく処理動作であるか等を判定するようになっている（ステップＳ７）。
【００４６】
そして、ＣＰＵ１２ｂは、メモリ１２ｃ内を検索して、ステップＳ７で判定した機能の処理動作に対応する報知音のデータを見つけて（ステップＳ８）、この報知音を報知音鳴動手段１０のスピーカー１０ｂに出力させるようになっている（ステップＳ９）。
【００４７】
このステップＳ９で報知音を出力する際には、未だセルフタイマー機能によるカウントダウン中であるため、報知音鳴動手段１０のアンプ１０ａのゲインの値を所定の倍率に変更するようになっている。したがって、ステップＳ９で出力される報知音は、ステップＳ６で撮影実行通知音を出力するのと同様に、ステップＳ３でメモリ１２ｃに記憶された音量に所定の倍率を掛合わせた音量で出力されるようになっている。
【００４８】
次に、上記のようなセルフタイマー機能及び自動焦点機能を利用したときの撮影とは別に、遠隔操作機能及び自動焦点機能を利用して撮影するときを例にして、撮影装置２の撮影待機状態における処理動作について説明する。
【００４９】
遠隔操作機能及び自動焦点機能を利用した撮影では、図４中のステップＳ２、Ｓ３、Ｓ５、及びＳ７ないしＳ９の処理動作を、上記のようなセルフタイマー機能及び自動焦点機能を利用したときの撮影と同様に行なうようになっている。ステップＳ４のカウントダウンに相当する処理動作は行なわれない。また、ステップＳ１及びステップＳ６の処理動作が、以下のように置き換えられる。
【００５０】
すなわち、上記のようなセルフタイマー機能及び自動焦点機能を利用したときの撮影においては、ステップＳ１でセルフタイマー機能起動及びシャッターキー押下を行なうようになっていて、このステップＳ１から撮影待機状態になっていた。これに対し、このステップＳ１において遠隔操作機能及び自動焦点機能を利用した撮影では、セルフタイマー機能起動及びシャッターキー押下に代えて、操作により遠隔操作機能を起動するようになっている。そして、セルフタイマー機能及び自動焦点機能を利用したときの撮影と同様に、このステップＳ１から撮影待機状態になるようになっている。
【００５１】
また、上記のようなセルフタイマー機能及び自動焦点機能を利用したときの撮影では、ステップＳ６においてセルフタイマー機能によるカウントダウンが終了して撮影を行ない、撮影待機状態が解除されるようになっていた。これに対して、遠隔操作機能及び自動焦点機能を利用した撮影では、このステップＳ６において、リモコン装置から撮影を指示する旨の信号を受信することにより撮影を行なうようになっている。そして、このステップＳ６で撮影した後においても、遠隔操作機能は終了しないため、撮影待機状態が継続するようになっている。撮影待機状態は、操作手段６により遠隔操作機能を終了させる操作が行なわれたときに解除されるようになっている。
【００５２】
このような本実施の形態に係る、撮影装置２及びその報知音出力方法によれば、撮影時にユーザーが撮影装置２から離れた場所にいるような場合であっても、スピーカー１０ｂから出力される様々な報知音が、ユーザーまで聞こえるようにすることができる。
【００５３】
したがって、例えば、セルフタイマー機能及び自動焦点機能を利用した撮影において、撮影するための操作を行なってからユーザー自身が被写体となるために撮影装置２から離れた後に、セルフタイマー機能によるカウントダウンの途中で通信手段８が着信したようなときでも、スピーカー１０ｂから出力される着信音が、ユーザーまで聞こえるようにすることができる。
【００５４】
また、例えば、遠隔操作機能及び自動焦点機能を利用した撮影において、遠隔操作機能を起動すると共に、ユーザー自身が被写体となるために撮影装置２から離れた後に、通信手段８が着信したようなときでも、スピーカー１０ｂから出力される着信音が、ユーザーまで聞こえるようにすることができる。
【００５５】
なお、本実施の形態においては、図４のステップＳ４でカウントダウンを開始するようになっていて、このカウントダウンの進行を合成音声やアラーム音等でユーザーに報知するようにはなっていないが、例えば、ステップＳ６で撮影動作を行なう直前の所定時間から、ステップＳ９でカウントダウンの進行を報知する合成音声やアラーム音等についても、報知音としてスピーカー１０ｂから出力させるようなっていてもよい。
【００５６】
また、本実施の形態では、撮影装置２は、セルフタイマー機能を起動させた後において、シャッターキー６ａを押下してから実際に撮像手段４による撮影動作が行なわれるまでの間が撮影待機状態であったが、例えば、セルフタイマー機能を起動させた直後から撮影動作が行なわれるまで間が撮影待機状態となるようになっていてもよい。
【００５７】
また、本実施の形態では、撮影装置２は、遠隔操作機能を起動させた後は、この遠隔操作機能を操作により終了させるまで撮影待機状態が継続するようになっていたが、例えば、遠隔操作機能を起動させた後に撮影動作が行なわれたときに撮影待機状態が解除されるようになっていてもよい。
【００５８】
また、本実施の形態においては、距離演算部１２ａは、受光部４ｂに結像した光学像のコントラストについて、その電気的な画像信号の出力値を解析するようになっていたが、このような光学像のコントラストについて解析することに代えて、光学像のエッジ等について解析するようになっていてもよい。
【００５９】
また、本実施の形態に係る撮影装置２の自動焦点機能は、画像信号の波形を解析しながらレンズ４ａを移動するような方式を採用しているが、他の方式を用いて焦点を合わせる動作を行なうようになっていてもよい。例えば、制御手段１２がレンズ４ａの位置に基づいて被写体との距離を算出するようにし、合焦動作をマニュアル（手動）にしてもよい。また、図示しないが、赤外線で被写体との距離を測定するような測距手段を設け、この測距手段により測定された被写体までの距離に基づいて合焦するものでも、本発明は適用可能である。
【００６０】
また、本実施の形態では、図２に示すように、レンズ４ａが移動することができる撮像軸Ｃ方向の長さの範囲を５つの区間「１」〜「５」に分けたが、５以外の任意の数の区間に分けるようになっていてもよい。
【００６１】
また、本実施の形態において、ＣＰＵ１２ｂは、距離演算装置１２ａが自動焦点機能の処理動作時に算出した区間番号「１」〜「５」から、メモリ１２ｃの音量テーブル２０に照らして音量を判断するようになっていたが、距離演算装置１２ａが算出した被写体までの距離に基づいて、ＣＰＵ１２ｂが、このような被写体までの距離から音量を算出するような所定の計算式を用いることにより、音量を演算するようになっていてもよい。
【００６２】
また、本実施の形態では、セルフタイマー機能で撮影のための操作が行なわれて撮影待機状態になったとき、又は遠隔操作機能が起動されて撮影待機状態になったときにおいて、通話の通信を着信した場合、及び電子メールを受信した場合のいずれにおいても、報知音が出力されるようになっていたが、ユーザーの設定に基づく制御手段１２の処理動作により、通話の通信を着信した場合、又は電子メールを受信した場合のいずれか一方の場合にのみ着信音が出力されるようになっていてもよい。例えば、ユーザーがメール受信の場合は早急に報知する必要がないと考えているような場合には、操作手段６により設定を行なって、メール受信の場合は報知音を出力しないよう制御手段１２に制御させるようにすることができる。
【００６３】
また、本実施の形態では、図４のフローチャートに示すように、セルフタイマー機能又は遠隔操作機能のいずれか一方に対応して報知音の音量が変わるような場合について説明したが、セルフタイマー機能と遠隔操作機能の両方に対応して報知音の音量が変わるようになっていてもよいことはいうまでもない。
【００６４】
また、本実施の形態に係る撮影装置２は、電話機能、電子メール送受信機能、アラーム機能、及び電池切れ警告機能を備えるようになっていたが、これらの機能と異なる他の機能を備えるようになっていてもよい。
【図面の簡単な説明】
【００６５】
【図１】本発明の一実施の形態に係る撮影装置２の回路構成を示すブロック図である。
【図２】図１に示す撮像手段４の模式図である。
【図３】図１に示すメモリ１２ｃに記憶される音量テーブル２０である。
【図４】本発明の一実施の形態に係る撮影装置２の動作手順を示すフローチャートである。
【符号の説明】
【００６６】
２  撮影装置
４  撮像手段
４ａ  レンズ
４ｂ  受光部
６  操作手段
６ａ  シャッターキー
６ｂ  テンキー
７  遠隔操作受信手段
８  通信手段
１０  報知音鳴動手段
１０ａ  アンプ
１０ｂ  スピーカー
１２  制御手段
１２ａ  距離演算部
１２ｂ  ＣＰＵ
１２ｃ  メモリ
２０  音量テーブル
【図１】
2006091665.tif 000003
【図２】
2006091665.tif 000004
【図３】
2006091665.tif 000005
【図４】
2006091665.tif 000006